(57)【要約】【課題】被写体画像の表示と撮影情報等の表示が見え難くなることなく、高品位のライブビュー表示機能を有するファインダ装置及びカメラを提供することである。【解決手段】デジタルカメラに於いて、フォーカシングスクリーン５６に被写体像が結像され、このフォーカシングスクリーン５６の近傍に配置されたファインダ内ＬＣＤパネル６４に情報表示が行われる。ファインダ内ＬＣＤパネル６４が発光表示動作を行った際に撮影用撮像素子６７の受光レベルが飽和しないように、ファインダ内ＬＣＤパネル６４の発光量が調整可能である。【選択図】図３
2006345172.tif 000002
【特許請求の範囲】
【請求項１】
ファインダ光路内に配置され、被写体像を結像するスクリーンマットと、
上記スクリーンマット上の被写体像を含むファインダ画像を繰り返し取得する撮像手段と、
上記撮像手段で取得された画像データを表示する画像表示手段と、
上記ファインダ内に配置された発光表示手段と、
を具備するファインダ装置に於いて、
上記発光表示手段は、発光表示動作を行った際に上記撮像手段の受光レベルが飽和しないように、その発光量を調整可能であることを特徴とするファインダ装置。
【請求項２】
上記発光表示手段は、上記スクリーンマット上に投光するＬＥＤと、該ＬＥＤの光量を調整可能な駆動回路とを含むことを特徴とする請求項１に記載のファインダ装置。
【請求項３】
上記発光表示手段は、上記スクリーンマットに隣接するＬＣＤ表示素子と、該ＬＣＤ表示素子のための光量調整可能なバックライト素子とを含むことを特徴とする請求項１に記載のファインダ装置。
【請求項４】
上記撮像手段は、被写体の明るさに応じて撮像感度を自動調整する機能を有し、上記発光表示手段は上記撮像手段の撮像感度に応じて上記発光量を調整することを特徴とする請求項１に記載のファインダ装置。
【請求項５】
上記撮像手段は、上記発光表示動作の際、上記撮像感度の自動調整を停止することを特徴とする請求項４に記載のファインダ装置。
【請求項６】
請求項１乃至４の何れか１に記載のファインダ装置を具備することを特徴とするカメラ。
【請求項７】
ファインダ光路内に配置され、被写体像を結像するスクリーンマットと、
上記スクリーンマット上の被写体像を含むファインダ画像を繰り返し取得する撮像手段と、
上記撮像手段で取得された画像データを表示する画像表示手段と、
上記ファインダ光路内に配置されて情報表示を行う発光表示手段と、
上記スクリーンマット上の被写体像及び上記発光表示手段により表示された情報を観察するためのファインダ光学系と、
上記発光表示手段の発光表示動作を行った際に上記撮像手段の受光レベルが飽和しないように、その発光量を制御する制御手段と、
を具備することを特徴とするカメラ。
【請求項８】
上記発光表示手段は、上記スクリーンマット上に投光するＬＥＤと、該ＬＥＤの光量を調整可能な駆動回路とを含むことを特徴とする請求項７に記載のカメラ。
【請求項９】
上記発光表示手段は、上記スクリーンマットに隣接するＬＣＤ表示素子と、該ＬＣＤ表示素子のための光量調整可能なバックライト素子とを含むことを特徴とする請求項７に記載のカメラ。
【請求項１０】
上記撮像手段は、被写体の明るさに応じて撮像感度を自動調整する機能を有し、上記制御手段は上記撮像手段の撮像感度に応じて上記発光表示手段の発光量を制御することを特徴とする請求項７に記載のカメラ。
【請求項１１】
上記撮像手段は、上記発光表示動作の際、上記撮像感度の自動調整を停止することを特徴とする請求項１０に記載のカメラ。
【発明の詳細な説明】
【技術分野】
【０００１】
本発明はファインダ装置に関し、より詳細には観察中の画像と撮影中の画像とを表示画面に表示可能なデジタルカメラのファインダ装置の改良に関するものである。
【背景技術】
【０００２】
従来より、撮影レンズ等の撮影光学系により結像される被写体像を、撮像素子によって光電変換し、これにより得られた画像信号に基づいて液晶モニタ等の画像表示装置に表示するカメラが一般的に知られている。
【０００３】
こうした被写体像を表示するカメラとしては、本露出用の露出手段とは別に、被写界のモニタ用に別の撮像手段を設けてファインダ光学系内にハーフミラーを配置し、ライブビュー表示用の撮像素子に被写体光束を導くカメラが知られている。この場合、ライブビューモードでは、撮像素子によって繰り返し撮像を行い、表示装置に表示するものである（例えば、特許文献１参照）。
【０００４】
また、ファインダスクリーンを、別の撮像素子でモニタするという技術も知られている（例えば、特許文献２参照）。
【特許文献１】特開２０００−１６５７３０号公報
【特許文献２】特開平１０−１４２６８５号公報
【発明の開示】
【発明が解決しようとする課題】
【０００５】
従来の一眼レフレックスタイプのカメラ（以下、単に一眼レフカメラと略記する）に於いては、ファインダ内に多点測距の合焦ポイントを表示するためのスーパーインポーズ表示や、撮影情報の表示を行うのが一般的であった。
【０００６】
ところが、上述した特許文献１に記載のカメラでは、撮影情報等を被写体像と同時に表示装置に表示するものではなかった。
【０００７】
また、上記特許文献２に記載の技術のように、ファインダスクリーンを別の撮像素子でモニタすると、ファインダ内の表示の輝度と被写界輝度とが合わないことがある。そのため、上述した撮影情報等の表示が弱すぎて見え難かったり、強すぎてにじんでしまって見え難かったりすることがあった。
【０００８】
したがって、本発明の目的は、被写体画像の表示と撮影情報等の表示が見え難くなることなく、高品位のライブビュー表示機能を有するファインダ装置及びカメラを提供することである。
【課題を解決するための手段】
【０００９】
すなわち請求項１に記載の発明は、ファインダ光路内に配置され、被写体像を結像するスクリーンマットと、上記スクリーンマット上の被写体像を含むファインダ画像を繰り返し取得する撮像手段と、上記撮像手段で取得された画像データを表示する画像表示手段と、上記ファインダ内に配置された発光表示手段と、を具備するファインダ装置に於いて、上記発光表示手段は、発光表示動作を行った際に上記撮像手段の受光レベルが飽和しないように、その発光量を調整可能であることを特徴とする。
【００１０】
請求項２に記載の発明は、請求項１に記載の発明に於いて、上記発光表示手段は、上記スクリーンマット上に投光するＬＥＤと、該ＬＥＤの光量を調整可能な駆動回路とを含むことを特徴とする。
【００１１】
請求項３に記載の発明は、請求項１に記載の発明に於いて、上記発光表示手段は、上記スクリーンマットに隣接するＬＣＤ表示素子と、該ＬＣＤ表示素子のための光量調整可能なバックライト素子とを含むことを特徴とする。
【００１２】
請求項４に記載の発明は、請求項１に記載の発明に於いて、上記撮像手段は、被写体の明るさに応じて撮像感度を自動調整する機能を有し、上記発光表示手段は上記撮像手段の撮像感度に応じて上記発光量を調整することを特徴とする。
【００１３】
請求項５に記載の発明は、請求項４に記載の発明に於いて、上記撮像手段は、上記発光表示動作の際、上記撮像感度の自動調整を停止することを特徴とする。
【００１４】
請求項６に記載の発明は、請求項１乃至４の何れか１に記載の発明に於けるファインダ装置を具備することを特徴とする。
【００１５】
請求項７に記載の発明は、ファインダ光路内に配置され、被写体像を結像するスクリーンマットと、上記スクリーンマット上の被写体像を含むファインダ画像を繰り返し取得する撮像手段と、上記撮像手段で取得された画像データを表示する画像表示手段と、上記ファインダ光路内に配置されて情報表示を行う発光表示手段と、上記スクリーンマット上の被写体像及び上記発光表示手段により表示された情報を観察するためのファインダ光学系と、上記発光表示手段の発光表示動作を行った際に上記撮像手段の受光レベルが飽和しないように、その発光量を制御する制御手段と、を具備することを特徴とする。
【００１６】
請求項８に記載の発明は、請求項７に記載の発明に於いて、上記発光表示手段は、上記スクリーンマット上に投光するＬＥＤと、該ＬＥＤの光量を調整可能な駆動回路とを含むことを特徴とする。
【００１７】
請求項９に記載の発明は、請求項７に記載の発明に於いて、上記発光表示手段は、上記スクリーンマットに隣接するＬＣＤ表示素子と、該ＬＣＤ表示素子のための光量調整可能なバックライト素子とを含むことを特徴とする。
【００１８】
請求項１０に記載の発明は、請求項７に記載の発明に於いて、上記撮像手段は、被写体の明るさに応じて撮像感度を自動調整する機能を有し、上記制御手段は上記撮像手段の撮像感度に応じて上記発光表示手段の発光量を制御することを特徴とする。
【００１９】
請求項１１に記載の発明は、請求項１０に記載の発明に於いて、上記撮像手段は、上記発光表示動作の際、上記撮像感度の自動調整を停止することを特徴とする。
【発明の効果】
【００２０】
本発明によれば、被写体画像の表示と撮影情報等の表示が見え難くなることなく、使い勝手のよい高品位のライブビュー表示機能を有するファインダ装置及びカメラを提供することができる。
【発明を実施するための最良の形態】
【００２１】
以下、図面を参照して、本発明の実施形態を説明する。
【００２２】
図１は、本発明の一実施形態を示すもので、本発明のファインダ装置が適用された一眼レフレックスタイプのデジタルカメラの構成を示す外観斜視図である。
【００２３】
図１に於いて、この一眼レフレックスタイプのデジタルカメラ（以下、カメラと略記する）１は、交換レンズとしてのレンズ鏡筒１０と、カメラ本体３０から主に構成されており、該カメラ本体３０の前面に対して、所望のレンズ鏡筒１０が着脱自在に設定されている。  
カメラ本体３０の上面には、レリーズ釦３１と、モードダイヤル３２と、パワースイッチレバー３３と、コントロールダイヤル３４等が設けられている。
【００２４】
レリーズ釦３１は、撮影準備動作及び露光動作を実行させるための釦である。このレリーズ釦３１は、第１レリーズスイッチと第２レリーズスイッチの２段式のスイッチで構成されており、レリーズ釦３１が半押し操作されることによって、第１レリーズスイッチがオンされて測光処理や測距処理などの撮影準備動作が実行される。また、レリーズ釦３１が全押し操作されることによって、第２レリーズスイッチがオンされて露光動作が実行される。
【００２５】
モードダイヤル３２は、撮影時の撮影モードを設定するための操作部材である。このモードダイヤル３２が所定方向に回転操作されることによって、撮影時の撮影モードが設定される。本実施形態に於いては、後述する液晶モニタに表示される画像を、ファインダビューとライブビューとで切り換える機能も有している。パワースイッチレバー３３は、当該カメラ１の電源のオン／オフをするための操作部材である。このパワースイッチレバー３３が回動操作されることにより、当該カメラ１のメイン電源のオン／オフが切り換えられる。
【００２６】
コントロールダイヤル３４は、撮影情報の設定を行うための部材である。このコントロールダイヤル３４が操作されることにより、撮影時に種々の設定が行われる。
【００２７】
ボディユニット３０の背面部には、撮影画像やメニュー等を表示するための液晶モニタ３６と、再生釦３７と、メニュー釦３８と、十字キー４０と、ＯＫ釦４１と、接眼光学系のファインダ４３等が配置されている。
【００２８】
上記再生釦３７は、カメラ１の動作モードを、後述するＦｌａｓｈＭｅｍｏｒｙ８４や記録メディア８５に記録されたＪＰＥＧファイルから画像を再生できる再生モードに切り換えるための釦である。メニュー釦３８は、液晶モニタ３６にメニュー画面を表示させるための釦である。このメニュー画面は、複数の階層構造から成るメニュー項目によって構成されている。ユーザは、所望のメニュー項目を十字キー４０で選択することができ、ＯＫ釦４１で選択した項目を決定することができる。
【００２９】
図２は、本発明の一実施形態に於けるカメラのファインダ光学系の構成を示す斜視図である。
【００３０】
ファインダ光学系５０は、レンズ鏡筒内の撮影レンズ１１を通過した被写体からの光束を、上記ファインダ４３を構成する接眼レンズ５７へと導くための複数のミラー、すなわち第１反射ミラー５１、第２反射ミラー５２、第３反射ミラー５３、第４反射ミラー５４と、フォーカシングスクリーン（スクリーンマット）５６と、接眼レンズ５７とを有して構成される。
【００３１】
上記第１反射ミラー５１は軸５１ａを中心に図示矢印Ａ方向に回動可能に構成されるもので、その一部が後述するＡＦセンサユニット７１のためにハーフミラーで構成されている。第１反射ミラー５１は、被写体の観察時は図示の如く、撮影レンズ１１から入射された光束を、撮影レンズ１１の光軸に対し略９０°の角度である第２反射ミラー５２の方向、すなわちカメラ本体３０のレンズ鏡筒１０側より見て右方向に反射する。そして、撮像時は、撮影光路より退避されて、被写体からの光束が、第１反射ミラー５１の後方に配置される撮像素子（図示せず）に導かれるように動作する。
【００３２】
上記第１反射ミラー５１の反射面で反射された光束は、フォーカシングスクリーン５６を介して第２反射ミラー５２に入射する。この第２反射ミラー５２は、上記第１反射ミラー５１からの反射光軸上であって、その反射面が上記第１反射ミラー５１の反射光軸に対し、所定の角度だけ傾いて配置されている。第２反射ミラー５２に入射された上記第１反射ミラー５１からの反射光束は、該第１反射ミラー５１からの反射光軸に対し略９０°の角度、すなわちカメラ本体３０の上方に向けて反射される。
【００３３】
上記第２反射ミラー５２の反射面で反射された光束は、該第２反射ミラー５２の反射面の反射光軸上であって、その反射面が第２の反射面の反射光軸に対し所定の角度だけ傾いて配置される第３反射ミラー５３に入射される。第３反射ミラー５３に入射された第２反射ミラー５２からの反射光束は、第３反射ミラー５３の反射面にて、上記第２反射ミラー５２の反射面からの反射光軸に対し略９０°の角度であって、上記第１反射ミラー５１の反射面による反射方向と相反する方向に反射される。つまり、第２反射ミラー５２の反射面からの反射光束は、第３反射ミラー５３の反射面にて、カメラ本体３０の左方向に向けて反射される。換言すれば、第１反射ミラー５１の反射面にて反射された光束は、第２、第３反射ミラー５２、５３によって折り返すように導かれ、第３反射ミラー５３の反射面の反射光軸は、上記第１反射ミラー５１の反射面の反射光軸と略平行となって第４反射ミラー５４に向かう。
【００３４】
上記第３反射ミラー５３の反射面で反射された光束は、該第３反射ミラー５３の反射面の反射光軸上であって、その反射面が上記第３反射ミラー５３の反射面の反射光軸に対し所定の角度だけ傾いて配置される第４反射ミラー５４に入射される。そして、第４反射ミラー５４に入射された上記第３反射ミラー５３からの反射光束は、第４反射ミラー５４の反射面にて、上記第３反射ミラー５３からの反射光軸に対し略９０°の角度に反射される。つまり、第３反射ミラー５３の反射面からの反射光束は、第４反射ミラーの反射面の反射光軸上に配置された接眼レンズ５７に入射される。
【００３５】
上記フォーカシングスクリーン５６は、上述したファインダ光学系５０に入射された光束を光学像として結像させるために、該光束を拡散させる拡散面を有するもので、後述する撮影用撮像素子６７の撮像面上と光学的に等価な位置に配置されている。更に、フォーカシングスクリーン５６に隣接して、撮影情報等を表示するためのファインダ（Ｆ）内ＬＣＤパネル６４及びこのＦ内ＬＣＤパネル６４を照明するバックライトＬＥＤ６５が配設されている。
【００３６】
また、上記第２反射ミラー５２と第４反射ミラー５４は、ハーフミラーで構成されている。第２反射ミラー５２の反射面の裏面側には、合焦表示用ＬＥＤ６２と、被写体の明るさを測定する測光センサ６３とが配置されている。上記合焦表示用ＬＥＤ６２は、画面の何処に合焦点があるかをスーパーインポーズ表示するためのものである。一方、第４反射ミラー５４の反射面の裏面側には、結像レンズ６０及びスルー画表示用撮像素子６１が配設されている。このスルー画表示用撮像素子６１は、フォーカシングスクリーン５６上の像を、結像レンズ６０を介して結像するためのものである。したがって、スルー画表示用撮像素子６１に結像された像は反転しているものの、撮影者の目５８が見ている像と同じものとなる。
【００３７】
このように、撮影レンズ１１からの被写体光束は、上述した第１乃至第４反射ミラー５１〜５４によって、その像が正立正像となるように反転されて接眼レンズ５７に導かれる。これにより、接眼レンズ５７（ファインダ４３）を通して、撮影者の眼５８でフォーカシングスクリーン５６上に結像した被写体像が観察可能となる。
【００３８】
尚、本実施形態では、第１反射ミラー５１、第２反射ミラー５２、第３反射ミラー５３及び第４反射ミラー５４は、入射光束に対して略９０°の角度で反射するように配置しているが、これに限られるものではない。
【００３９】
図３は、本発明の一実施形態に係るカメラのシステム構成を示すブロック図である。
【００４０】
図３に於いて、上記レンズ鏡筒１０は、上記カメラ本体３０の前面に設けられた、図示されないレンズマウントを介して着脱自在に装着可能である。そして、上記レンズ鏡筒１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００４１】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ２０を介して、後述するボディ制御用マイクロコンピュータ８０と電気的に接続がなされ、該ボディ制御用マイクロコンピュータ８０の指令に従って制御される。
【００４２】
一方、カメラ本体３０は、以下のように構成されている。
【００４３】
レンズ鏡筒１０内の撮影レンズ１１、絞り１２を介して入射される図示されない被写体からの光束は、可動ミラーである第１反射ミラー５１で反射され、フォーカシングスクリーン５６、更に上記第１反射ミラー５１と共にファインダ光学系５０を構成する第２乃至第４反射ミラー５２〜５４（図２参照）等を介して、接眼レンズ５７に至る。また、第１反射ミラー５１のハーフミラーの部分を透過した被写体光束の一部は、第１反射ミラー５１とは独立して作動するサブミラー７０で反射されて、自動測距を行うためのＡＦセンサユニット７１に導かれる。尚、図３に於いては、第１反射ミラー５１は別に示されているが、第２乃至第４の反射ミラー等と共にファインダ光学系５０を構成しているものである。
【００４４】
光軸上で上記第１反射ミラー５１の後方には、フォーカルプレーン式のシャッタ６６と、光学系を通過した被写体像を光電変換するための撮像光学系の光電変換素子であり、ＣＣＤ等で構成される撮影用撮像素子６７が設けられている。つまり、第１反射ミラー５１が撮影光路より退避した場合、撮影レンズ１１及び絞り１２を通った光束は、撮影用撮像素子６７の撮像面上に結像される。
【００４５】
上記フォーカシングスクリーン５６の近傍には、測距ポイント表示用ＬＥＤ６２と、ファインダ内ＬＣＤパネル６４及びそのバックライトＬＥＤ６５が配置されている。ファインダ内ＬＣＤパネル６４はＬＣＤドライバ６７によって駆動されるもので、バックライトＬＥＤ６５と共に後述するボディ制御用マイクロコンピュータ８０の指令に従って制御される。
【００４６】
また、上述したように、ファインダ光学系５０には、第２反射ミラー５２の近傍にＡＦ測距ポイントインジケータ６５を構成する例えば３色のＬＥＤ６５ａ〜６５ｃが、そして第４反射ミラー５４の近傍に表示用撮像素子６１が配設されている。上記ＬＥＤ６５ａ〜６５ｃは、上記ＬＣＤ表示パネル６４及びバックライト６３と共にボディ制御用マイクロコンピュータ８０に接続されるもので、その指令に従って制御される。
【００４７】
上記表示用撮像素子６１と上記撮影用撮像素子６７は、インターフェイス回路８１を介して、画像処理を行うための画像処理コントローラ８２に接続されている。そして、この画像処理コントローラ８２には、上述した液晶モニタ３６と、記憶領域として設けられたＳＤＲＡＭ８３、ＦｌａｓｈＭｅｍｏｒｙ８４及び記録メディア８５等が接続されている。これらは、電子撮像機能と共に電子記録表示機能を提供できるように構成されている。
【００４８】
上記記録メディア８５は、図示されないカメラのインターフェイスを介してカメラ本体３０に対し脱着可能な各種のメモリカードや外付けのハードディスクドライブ（ＨＤＤ）等の外部記録媒体である。
【００４９】
上記画像処理コントローラ８２は、図示されない測光センサを含む測光回路８７と、ＡＦセンサ駆動回路７２と、ミラー駆動機構７３と、シャッタチャージ機構７５と、シャッタ制御回路７６と、不揮発性メモリ（ＥＥＰＲＯＭ）８８と共に、このカメラ本体３０内の各部を制御するためのボディ制御用マイクロコンピュータ（以下、Ｂμｃｏｍと略記する）８０に接続されている。
【００５０】
上記Ｂμｃｏｍ８０には、更に、当該カメラの動作状態を表示出力によって撮影者へ告知するための動作表示用ＬＣＤ９０と、カメラ操作スイッチ（ＳＷ）９１と、電源回路９２を介して電池９３とが接続されている。
【００５１】
尚、上記Ｂμｃｏｍ８０とＬμｃｏｍ１５とは、レンズ鏡筒１０の装着時に於いて、通信コネクタ２０を介して通信可能に電気的接続がなされる。そして、デジタルカメラとして、Ｌμｃｏｍ１５がＢμｃｏｍ８０に従属的に協働しながら稼動するようになっている。
【００５２】
上記ＡＦセンサ駆動回路７２は上記ＡＦセンサユニット７１を駆動制御するための回路であり、ミラー駆動機構７３は第１反射ミラー５１を駆動制御する機構である。また、シャッタチャージ機構７５は、上記シャッタ６６を構成する図示されない先幕と後幕を駆動するばねをチャージするものである。シャッタ制御回路７６は、上記シャッタ６６の先幕と後幕の動きを制御すると共に、Ｂμｃｏｍ８０との間でシャッタの開閉動作を制御する信号とストロボと同調する信号の授受を行う。また、上記測光回路８７は、図示されない測光センサの電気信号に基づいて測光処理する回路である。
【００５３】
不揮発性メモリ８８は、上述したＳＤＲＡＭ８３、ＦｌａｓｈＭｅｍｏｒｙ８４、記録メディア８５以外の記憶領域として、カメラ制御に必要な所定の制御パラメータを記憶する記憶手段であり、Ｂμｃｏｍ８０からアクセス可能に設けられている。
【００５４】
動作表示用ＬＣＤ９０は、当該カメラの動作状態を表示出力によってユーザへ告知するためのものである。上記カメラ操作スイッチ９１は切り換え手段として、例えば撮影動作の実行を指示すると共に後述するように第１反射ミラー５１を撮影光路の内外に切り換えるレリーズスイッチ、撮影モードと画像表示モードを切り換えるモード変更スイッチ及びパワースイッチ、等、当該カメラを操作するために必要な操作釦を含むスイッチ群で構成される。更に、電源回路９２は、電源としての電池９３の電圧を、当該カメラシステムの各回路ユニットが必要とする電圧に変換して供給するために設けられている。
【００５５】
図４は、測距ポイント表示用ＬＥＤ６２及びバックライトＬＥＤ６５の駆動回路の構成を示した図である。
【００５６】
この場合、測距ポイント表示用ＬＥＤ６２は６２ａ、６２ｂ、６３ｃの３つで構成されるもので、それぞれＢμｃｏｍ８０のポートＰ０１、Ｐ０２、Ｐ０３からスイッチングトランジスタＱ１、Ｑ２、Ｑ３によって選択的に切り替えられる。そして、これらのＬＥＤ６２ａ、６２ｂ、６２ｃは、それぞれ上記トランジスタＱ１、Ｑ２、Ｑ３を介して電流制御用のトランジスタＱ５に接続されている。このトランジスタＱ５には抵抗Ｒ１、Ｒ３及びオペアンプ９５が接続されており、Ｂμｃｏｍ８０のポートＤＡ１（Ｄ／Ａコンバータ）を介して制御されることにより、測距ポイント表示用ＬＥＤ６２に流れる電流量が決定され、明るさが制御される。
【００５７】
また、バックライトＬＥＤ６５は６５ａ及び６５ｂの２つで構成されており、Ｂμｃｏｍ８０のポートＰ０４からスイッチングトランジスタＱ４が制御されることによって点灯制御される。そして、同様に、バックライトＬＥＤ６５は、トランジスタＱ４を介して電流制御用のトランジスタＱ６に接続されている。このトランジスタＱ６には抵抗Ｒ２、Ｒ４及びオペアンプ９６が接続されており、Ｂμｃｏｍ８０のポートＤＡ２（Ｄ／Ａコンバータ）を介して制御されることにより、バックライトＬＥＤ６５に流れる電流量が決定され、明るさが制御される。
【００５８】
一方、Ｂμｃｏｍ８０は、シリアル通信によってＬＣＤドライバ６７に種々の情報を送る。そして、このＬＣＤドライバ６７がファインダ内ＬＣＤパネル６４を駆動することによって、Ｂμｃｏｍ８０から送られた情報が表示される。
【００５９】
図５は、ファインダ内の表示例を示したもので、（ａ）はフォーカシングスクリーン５６を撮像した表示画面１０４の例を示した図、（ｂ）はファインダ内ＬＣＤパネル６４の表示部１０７を拡大した図である。
【００６０】
図５（ａ）に示されるように、上記表示画面１０４は、表示用撮像素子６１で撮影された画像の表示部１０５とファインダ内ＬＣＤパネル６４に表示された撮影情報の表示部１０７との合成である。上記表示部１０５の略中央部には、ＡＦ測距を行う際に使用されるＡＦフレーム１０６が設けられている。一方、表示部１０７は、図５（ｂ）に示されるように、種々の撮影情報を表示するための複数のマークより成っている。
【００６１】
図５（ｂ）に於いて、１１０は絞り値を表すマーク、１１１はシャッタ速度／画質モードを表すマーク、１１２は合焦マーク、１１３はフラッシュを表すマーク、１１４はホワイトバランスを表すマーク、１１５はＡＥロックを表すマーク、１１６は露出補正値を表すマーク、１１７は測光モードを表すマーク、１１８は電池残量を表すマーク、そして１１９は露出モードを表すマークである。
【００６２】
ライブビューモード時は、これらの表示部１０５及び１０７に対応した表示が、液晶モニタ３６の画面内に画像と撮影情報として表示される。
【００６３】
図６は、液晶モニタ３６に露出情報が表示された際の表示例を示した図である。
【００６４】
図６に於いて、１２１は電池残量を表すマーク、１２２は露出モードを表すマーク、１２３はシャッタ速度を表すマーク、１２４は絞り値を表すマーク、１２５は露出補正値を表すマーク、１２６はノイズリダクション（ノイズ除去）を表すマーク、１２７はＡＥロックを表すマーク、１２８は測光モードを表すマーク、１２９は露出補正インジケータ及び露出レベルインジケータを表すマークである。また、１３１はフラッシュモード等を表すマーク、１３２はＡＦフレームを表すマーク、１３３はドライブモード等を表すマーク、１３４は画質モード等を表すマーク、１３５はＩＳＯ感度を表すマーク、１３６はホワイトバランスを表すマーク、１３７はカラー設定等を表すマーク、そして１３８は残り撮影枚数を表すマークである。
【００６５】
次に、図７乃至図９のフローチャートを参照して、本実施形態に於けるカメラの基本的な撮影動作について説明する。
【００６６】
カメラ本体３０内に電池９３が投入されると本ルーチンが開始され、先ずステップＳ１にてカメラの初期設定がなされる。次いで、ステップＳ２に於いて、パワースイッチレバー３３の操作状態が検出される。ここで、パワースイッチレバー３３が操作されて電源がオンされると、続くステップＳ３にてモードスイッチが検出される。そして、このスイッチ検出により、ステップＳ４にてモード設定、変更処理がなされる。ステップＳ５にて測光センサ６３及びＡＦセンサユニット７１によって測光及び測距動作が行われると、続くステップＳ６にて上記ステップＳ５で得られた値に基づいて測光演算及び測距演算が行われる。
【００６７】
そして、ステップＳ７に於いて、ファーストレリーズスイッチが離されてから所定時間、この場合８秒が経過したか否かが判定される。ここで、８秒が経過した場合は、ステップＳ８へ移行してファインダモードであるかライブビューモードであるかが判定される。ライブビューモードである場合は、ステップＳ９に移行してファインダ内ＬＣＤパネル６４の表示が消灯されると共に、バックライトＬＥＤ６５も消灯される。次いで、ステップＳ１０にて表示用撮像素子６１の自動実行が設定される。その後、ステップＳ２７へ移行する。一方、上記ステップＳ８にてファインダモードである場合は、ステップＳ１１に移行してファインダ内ＬＣＤパネル６４の表示が消灯されると共に、バックライトＬＥＤ６５も消灯される。次いで、ステップＳ１２にて液晶モニタ（ＴＦＴ）に設定情報が表示される。その後、ステップＳ２７へ移行する。
【００６８】
上記ステップＳ７に於いて、ファーストレリーズスイッチが離されていない、または８秒経過していない場合は、ステップＳ１３に移行してファインダモードであるかライブビューモードであるかが判定される。ここで、ライブビューモードである場合は、ステップＳ１４に移行して液晶モニタ（ＴＦＴ）３６に表示用撮像素子６１で得られたファインダ画像が表示される。次いで、ステップＳ１５にて、ファインダ内ＬＣＤパネル６４の表示内容が更新される。ステップＳ１６では、上記表示用撮像素子６１の自動実行が設定される。続いて、ステップＳ１７では表示用撮像素子６１の感度情報が読み込まれて、ステップＳ１８にてその感度情報から飽和しない範囲のバックライトＬＥＤ６５の光量値が算出される。
【００６９】
一方、上記ステップＳ１３にてファインダモードである場合は、ステップＳ２４へ移行して、再度測光センサ６３による測光が行われる。次いで、ステップＳ２５では液晶モニタ（ＴＦＴ）３６には、上記ステップＳ２４での測光値に基づいて、露出値の演算が行われ、その結果の露出情報が表示される。更に、ステップＳ２６では、上記ステップＳ２４で得られた測光値からバックライトＬＥＤ６５の光量値が演算される。
【００７０】
ステップＳ１９では、上記ステップＳ１８またはＳ２６で算出された光量値から、バックライトＬＥＤ６５の電流が演算される。そして、ステップＳ２０では、上記ステップＳ１９で得られたバックライトＬＥＤ６５の電流から出力電圧が演算される。すると、続くステップＳ２１にて、Ｂμｃｏｍ８０のＤ／Ａポート（ＤＡ２）に設定電圧が出力される。次いで、ステップＳ２２にて、ファインダ内ＬＣＤ６４の表示が更新される。そして、ステップＳ２３にてバックライト６５が点灯される。
【００７１】
次に、ステップＳ２７に於いて、レリーズ釦３１の第１レリーズ（１Ｒ）スイッチの状態が検出される。ここで、第１レリーズスイッチがオフ状態であれば上記ステップＳ２へ移行する。一方、第１レリーズスイッチがオンされていれば、ステップＳ２８へ移行して、ファインダモードであるかライブビューモードであるかが判定される。ここで、ライブビューモードである場合は、ステップＳ２９に移行して、表示用撮像素子６１で得られた画像の処理及び液晶モニタ３６への表示が行われる。一方、ファインダモードの場合は、ステップＳ３０に移行して、液晶モニタ３６の表示が消灯される。
【００７２】
ステップＳ３１では、測光センサ６３及びＡＦセンサユニット７１によって測光及び測距動作が行われ、続くステップＳ３２にて上記ステップＳ３１で得られた値に基づいて測光演算及び測距演算が行われる。そして、ステップＳ３３に於いて、再度ファインダモードであるかライブビューモードであるかが判定される。その結果、ライブビューモードである場合は、ステップＳ３４に移行して、ファインダ内ＬＣＤパネル６４による表示の更新とバックライトＬＥＤ６５の点灯が行われる。次いで、ステップＳ３５にて液晶モニタ３６にファインダ画像と露出情報が合成表示された後、ステップＳ３７へ移行する。上記ステップＳ３３にてファインダモードであると判定された場合は、ステップＳ３６に移行してファインダ内ＬＣＤパネル６４の表示が更新されると共に、バックライトＬＥＤ６５が点灯される。その後、ステップＳ３７へ移行する。
【００７３】
ステップＳ３７では、撮影レンズ１１が合焦範囲内であるか否かが判定される。その結果、まだ合焦範囲にない場合は、ステップＳ３８に移行して撮影レンズ１１がレンズ駆動機構１３等により駆動され、その後上記ステップＳ２７に移行して上述した処理動作が繰り返される。一方、上記ステップＳ３７にて合焦範囲内である場合は、ステップＳ３９に移行してファインダ内ＬＣＤパネル６４に合焦した旨の合焦マーク１１２が表示される。次いで、ステップＳ４０にて表示用撮像素子６１の感度の変更が禁止される。そして、ステップＳ４１では、表示用撮像素子６１の感度情報が読み出される。
【００７４】
次に、ステップＳ４２では、上記ステップＳ４１で読み出された感度情報から、飽和しない範囲の測距ポイント表示用ＬＥＤ６２の光量値が算出される。そして、ステップＳ４３では、上記ステップＳ４２で得られた光量値から、測距ポイント表示用ＬＥＤ６２に流れる電流が算出される。更に、ステップＳ４４では、上記ステップＳ４３で得られたＬＥＤ電流から、Ｂμｃｏｍ８０の出力電圧が演算される。ステップＳ４５では、Ｂμｃｏｍ８０のＤ／Ａポートから設定電圧が出力される。
【００７５】
そして、ステップＳ４６では、合焦ポイントに、測距ポイント表示用ＬＥＤ６２ａ〜６２ｃのうち該当するＬＥＤが所定時間点灯される。続いて、ステップＳ４７では、表示用撮像素子６１の感度変更禁止が解除される。これは、ＬＥＤが点灯されると、その点灯された光によってフィードバックがかかって画面が暗くなることを防止するためである。この感度変更禁止が解除されることにより、被写界輝度に応じて画面が適正露出に合わせられるようになる。
【００７６】
次いで、ステップＳ４８及びＳ４９にて第１レリーズスイッチ及び第２レリーズスイッチの状態が検出される。ここでは、第１レリーズスイッチ及び第２レリーズスイッチがオンになるまで待機する。その結果、第１レリーズスイッチがオフになれば上記ステップＳ２に移行する。そして、第１レリーズスイッチ及び第２レリーズスイッチが共にオンになれば、ステップＳ５０に移行してファインダ内ＬＣＤパネル６４の表示が消灯される。また、それと共にバックライトＬＥＤ６５も消灯される。
【００７７】
ステップＳ５１では、第１反射ミラー５１が撮影光路より退避され、絞り込みがなされて撮影準備が行われる。続いて、ステップＳ５２にて、撮影用撮像素子６７による撮像が行われる。そして、撮像終了後は、ステップＳ５３にて第１反射ミラー５１が撮影光路内に復帰され、絞り１２が開放され、撮像された画像が撮影用撮像素子６７からインターフェイス回路８１を介して画像処理コントローラ８２に転送される。ステップＳ５４では、この画像処理コントローラ８２にて撮像された画像の処理が行われ、その画像が液晶モニタ３６に表示される。次いで、ステップＳ５５にて記録メディア８５に画像データが記録される。この後、ステップＳ５６に於いて連写モードであるか単写モードであるかが判定される。その結果、単写モードであれば上記ステップＳ２へ移行し、連写モードであれば上記ステップＳ２７へ移行して、それぞれ以降の処理が繰り返される。
【００７８】
このように、撮影用撮像素子の感度情報からＬＥＤの光量を調整することができるようにしたので、撮影情報等の表示が見え難くなることなく、使い勝手のよい高品位のライブビュー表示機能を有するファインダ装置及びカメラを提供することができる。
【００７９】
以上、本発明の実施形態について説明したが、本発明は上述した実施形態以外にも、本発明の要旨を逸脱しない範囲で種々の変形実施が可能である。
【図面の簡単な説明】
【００８０】
【図１】本発明の一実施形態を示すもので、本発明のファインダ装置が適用された一眼レフレックスタイプのデジタルカメラの構成を示す外観斜視図である。
【図２】本発明の一実施形態に於けるカメラのファインダ光学系の構成を示す斜視図である。
【図３】本発明の一実施形態に係るカメラのシステム構成を示すブロック図である。
【図４】測距ポイント表示用ＬＥＤ６２及びバックライトＬＥＤ６５の駆動回路の構成を示した図である。
【図５】ファインダ内の表示例を示したもので、（ａ）はフォーカシングスクリーン５６に対応した表示画面１０４の例を示した図、（ｂ）はファインダ内ＬＣＤパネル６４の表示例を示した図である。
【図６】液晶モニタ３６に露出情報が表示された際の表示例を示した図である。
【図７】本発明の一実施形態に於けるカメラの基本的な撮影動作について説明するフローチャートである。
【図８】本発明の一実施形態に於けるカメラの基本的な撮影動作について説明するフローチャートである。
【図９】本発明の一実施形態に於けるカメラの基本的な撮影動作について説明するフローチャートである。
【符号の説明】
【００８１】
１０…レンズ鏡筒、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…カメラ本体、３１…レリーズ釦、３２…モードダイヤル、３３…パワースイッチレバー、３４…コントロールダイヤル、３６…液晶モニタ、４３…ファインダ、５０…ファインダ光学系、５１…第１反射ミラー、５２…第２反射ミラー、５３…第３反射ミラー、５４…第４反射ミラー、５６…フォーカシングスクリーン、５７…接眼レンズ、６１…表示用撮像素子、６２、６２ａ、６２ｂ、６２ｃ…測距ポイント表示用ＬＥＤ、６３…測光センサ、６４…ファインダ（Ｆ）内ＬＣＤパネル、６５、６５ａ、６５ｂ…バックライトＬＥＤ、６６…シャッタ、６７…撮影用表示素子、７１…ＡＦセンサユニット、７２…ＡＦセンサ駆動回路、７３…ミラー駆動機構、７５…シャッタチャージ機構、７６…シャッタ制御回路、８１…インターフェイス回路、８２…画像処理コントローラ、８３…ＳＤＲＡＭ、８４…ＦｌａｓｈＭｅｍｏｒｙ、８５…不揮発性メモリ（ＥＥＰＲＯＭ）、９０…動作表示用ＬＣＤ、９１…カメラ操作スイッチ（ＳＷ）、９２…電源回路。
【図１】
2006345172.tif 000003
【図２】
2006345172.tif 000004
【図３】
2006345172.tif 000005
【図４】
2006345172.tif 000006
【図５】
2006345172.tif 000007
【図６】
2006345172.tif 000008
【図７】
2006345172.tif 000009
【図８】
2006345172.tif 000010
【図９】
2006345172.tif 000011